(57)【特許請求の範囲】
【請求項１】
人を前方へ搬送する搬送部と、
前記搬送部の左側に配置される左欄干部と、
前記搬送部の右側に配置される右欄干部と、
前記搬送部の左側に乗る人を検出する左人検出部と、
前記搬送部の右側に乗る人を検出する右人検出部と、
前記左欄干部及び前記右欄干部を制御する制御部と、を備え、
前記左欄干部は、前記搬送部側に向けて送風する左送風装置を備え、
前記右欄干部は、前記搬送部側に向けて送風する右送風装置を備え、
前記制御部は、前記左人検出部の検出に基づいて、前記左送風装置の送風量を制御し、前記右人検出部の検出に基づいて、前記右送風装置の送風量を制御する、マンコンベヤ。
【請求項２】
前記搬送部が搬送する負荷を検出する負荷検出部をさらに備え、
前記制御部は、前記負荷検出部の検出に基づいて、前記左送風装置及び前記右送風装置の送風量を制御する、請求項１に記載のマンコンベヤ。
【請求項３】
前記制御部は、前記搬送部の搬送速度に基づいて、前記左送風装置及び前記右送風装置の送風量を制御する、請求項１又は２に記載のマンコンベヤ。
【請求項４】
前記搬送部に乗る人の高さを検出する高さ検出部をさらに備え、
前記左送風装置及び前記右送風装置は、上下方向の送風量を変更可能に構成され、
前記制御部は、前記高さ検出部の検出に基づいて、前記左送風装置及び前記右送風装置の上下方向の送風量を制御する、請求項１〜３の何れか１項に記載のマンコンベヤ。
【発明の詳細な説明】
【技術分野】
【０００１】
本出願は、マンコンベヤに関する。
【背景技術】
【０００２】
従来、例えば、マンコンベヤは、搬送部の左右両側に欄干部を備えており、欄干部は、搬送部側に向けて送風する送風装置を備えている（例えば、特許文献１〜３）。ところで、特許文献１〜３に係るマンコンベヤにおいては、左右の送風装置のそれぞれが、搬送部側に向けて送風するため、例えば、搬送部の左側又は右側の片方側だけに人が乗っている場合は、反対側の送風装置の送風が無駄になる場合もある。
【先行技術文献】
【特許文献】
【０００３】
【特許文献１】特開平２−２５５４９２号公報
【特許文献２】特開平５−２１３５７５号公報
【特許文献３】特開平１１−７９６４８号公報
【発明の概要】
【発明が解決しようとする課題】
【０００４】
そこで、課題は、送風装置の送風量を適切にすることができるマンコンベヤを提供することである。
【課題を解決するための手段】
【０００５】
マンコンベヤは、人を前方へ搬送する搬送部と、前記搬送部の左側に配置される左欄干部と、前記搬送部の右側に配置される右欄干部と、前記搬送部の左側に乗る人を検出する左人検出部と、前記搬送部の右側に乗る人を検出する右人検出部と、前記左欄干部及び前記右欄干部を制御する制御部と、を備え、前記左欄干部は、前記搬送部側に向けて送風する左送風装置を備え、前記右欄干部は、前記搬送部側に向けて送風する右送風装置を備え、前記制御部は、前記左人検出部の検出に基づいて、前記左送風装置の送風量を制御し、前記右人検出部の検出に基づいて、前記右送風装置の送風量を制御する。
【０００６】
また、マンコンベヤは、前記搬送部が搬送する負荷を検出する負荷検出部をさらに備え、前記制御部は、前記負荷検出部の検出に基づいて、前記左送風装置及び前記右送風装置の送風量を制御する、という構成でもよい。
【０００７】
また、マンコンベヤにおいては、前記制御部は、前記搬送部の搬送速度に基づいて、前記左送風装置及び前記右送風装置の送風量を制御する、という構成でもよい。
【０００８】
また、マンコンベヤは、人の高さを検出する高さ検出部をさらに備え、前記左送風装置及び前記右送風装置は、上下方向の送風量を変更可能に構成され、前記制御部は、前記高さ検出部の検出に基づいて、前記左送風装置及び前記右送風装置の送風量を制御する、という構成でもよい。
【図面の簡単な説明】
【０００９】
【図１】図１は、一実施形態に係るマンコンベヤの概略正面図である。
【図２】図２は、同実施形態に係るマンコンベヤの要部側面図である。
【図３】図３は、同実施形態に係るマンコンベヤの要部正面図である。
【図４】図４は、同実施形態に係るマンコンベヤの要部平面図である。
【図５】図５は、同実施形態に係るマンコンベヤの制御ブロック図である。
【図６】図６は、他の実施形態に係るマンコンベヤの要部正面図である。
【発明を実施するための形態】
【００１０】
以下、マンコンベヤにおける一実施形態について、図１〜図５を参照しながら説明する。なお、各図（図６も同様）において、図面の寸法比と実際の寸法比とは、必ずしも一致しておらず、また、各図面の間での寸法比も、必ずしも一致していない。
【００１１】
図１及び図２に示すように、本実施形態に係るマンコンベヤ１は、躯体に設置される構造体２と、人を前後方向Ｄ１へ搬送する搬送部３と、搬送部３を左右方向Ｄ２で挟むように配置される一対の欄干部４，５とを備えている。また、マンコンベヤ１は、搬送部３及び欄干部４，５を駆動させる駆動部６と、各部４，５，６を制御する制御部７とを備えている。
【００１２】
本実施形態に係るマンコンベヤ１は、人を搬送するために、踏面が階段状になるエスカレータであるが、斯かる構成に限られない。例えば、マンコンベヤ１は、人を搬送するために、踏面が平面状となる移動歩道（動く歩道）であってもよい。
【００１３】
搬送部３は、駆動部６に駆動されることによって無端回転する環状の走行部（例えば、チェーン）３ａと、走行部３ａに対して回転可能に接続され、人が乗る踏面を有する複数のステップ３ｂとを備えている。走行部３ａは、左右方向Ｄ２に離れて一対（図１においては、一つのみを図示している）設けられている。そして、複数のステップ３ｂは、一対の走行部３ａ，３ａの間に配置され、それぞれの走行部３ａに対して回転可能に接続されている。
【００１４】
欄干部４，５は、無端回転する環状の手摺ベルト４ａ，５ａと、手摺ベルト４ａ，５ａを支持する欄干本体４ｂ，５ｂとを備えている。駆動部６は、ステップ３ｂが反転するように、走行部３ａが巻き掛けられる回転部（例えば、スプロケット、鎖歯車）６ａ，６ａと、走行部３ａが無端回転してステップ３ｂが走行するように、回転部６ａを回転させる駆動源６ｂとを備えている。
【００１５】
そして、駆動部６の駆動が手摺ベルト４ａ，５ａに伝達されることによって、手摺ベルト４ａ，５ａは、走行部３ａの無端回転及びステップ３ｂの走行と同期して、無端回転する。なお、手摺ベルト４ａ，５ａの回転速度は、搬送部３の搬送速度（走行部３ａの回転速度、ステップ３ｂの走行速度）に比例している。
【００１６】
また、マンコンベヤ１は、回転部６ａ，６ａの回転方向を変更することによって、搬送部３の搬送方向（走行部３ａの回転方向、ステップ３ｂの走行方向）及び手摺ベルト４ａ，５ａの回転方向をそれぞれ変更可能である。これにより、マンコンベヤ１は、人を上方向へ搬送する状態と下方向へ搬送する状態とに切り替え可能である。
【００１７】
また、マンコンベヤ１は、搬送部３に対し乗り降りするために、搬送部３の前後方向Ｄ１の各端部に乗降部１ａ，１ｂを備えている。乗降部１ａ，１ｂは、構造体２の機械室２ａを上方から覆うように、構造体２に取り付けられる床プレート１ｃを備えている。
【００１８】
そして、搬送部３が、ステップ３ｂに乗る人を前方へ搬送することによって、人は、一方の乗降部１ａ（１ｂ）から他方の乗降部１ｂ（１ａ）へ搬送される。なお、本明細書においては、前後方向Ｄ１及び左右方向Ｄ２は、搬送部３に乗って搬送される人（即ち、ステップ３ｂに乗って搬送される人）を基準にして定められる。
【００１９】
例えば、人が搬送部３によって（斜め）上方向へ搬送されている場合は、各図において、第１方向Ｄ１の矢印方向は、前方となり、第２方向Ｄ２の矢印方向は、左方となる。また、例えば、人が搬送部３によって（斜め）下方向へ搬送されている場合は、各図において、第１方向Ｄ１の矢印方向は、後方となり、第２方向Ｄ２の矢印方向は、右方となる。
【００２０】
以下、人が上方向へ搬送されている場合を前提に、マンコンベヤ１の構成を説明する。即ち、下方側の乗降部１ａは、乗り部１ａとなり、上方側の乗降部１ｂは、降り部１ｂとなる。
【００２１】
欄干部４，５は、搬送部３の左側に配置される左欄干部４と、搬送部３の右側に配置される右欄干部５とを含んでいる。そして、左欄干部４は、搬送部３側に向けて送風する左送風装置８を備えており、右欄干部５は、搬送部３側に向けて送風する右送風装置９を備えている。
【００２２】
送風装置８，９は、搬送方向に沿って配置されている。特に限定されないが、送風装置８，９は、欄干本体４ｂ，５ｂの内部に配置されている。なお、送風装置８，９は、例えば、冷風（気温よりも低い温度の風）を送風する、という構成でもよく、また、例えば、温風（気温よりも高い温度の風）を送風する、という構成でもよく、また、例えば、冷風と温風とを必要に応じて切り替えて送風可能である、という構成でもよい。
【００２３】
そして、送風装置８，９は、送風量を変更可能に構成されている。なお、送風装置８，９の構成は、特に限定されない。例えば、送風装置８，９は、搬送方向に沿って並べられる複数のファンを備えており、それぞれのファンの回転数を変更することによって送風量を変更可能である、という構成でもよい。
【００２４】
また、例えば、送風装置８，９は、送風源と、例えばダクト及びバルブを有することによって、送風源からの空気を搬送部３側に向けて流通させる流通部とを備えており、バルブの開度を変更することによって送風量を変更可能である、という構成でもよい。また、例えば、送風装置８，９は、送風源と、送風源の空気を搬送部３側に向けて流通させる流通部とを備えており、送風源からの送風量を変更することによって送風量を変更可能である、という構成でもよい。
【００２５】
また、送風装置８，９は、上下方向Ｄ３の送風量を変更可能に構成されている。本実施形態においては、送風装置８，９は、搬送部３の上方の領域に向けて送風する上送風部８ａ，９ａと、搬送部３の下方の領域に向けて送風する下送風部８ｂ，９ｂとを備えている。そして、上送風部８ａ，９ａの送風量と下送風部８ｂ，９ｂの送風量とが個別に変更されることによって、上下方向Ｄ３の送風量が変更される。
【００２６】
また、図２〜図４に示すように、マンコンベヤ１は、搬送部３の左側に乗る人を検出する左人検出部１０と、搬送部３の右側に乗る人を検出する右人検出部１１とを備えている。また、マンコンベヤ１は、搬送部３の左側に乗る人の高さを検出する左高さ検出部１２と、搬送部３の右側に乗る人の高さを検出する右高さ検出部１３とを備えている。なお、図２及び図３の１点鎖線は、搬送部３の左右方向Ｄ２の中心線（左側領域と右側領域との境界線）である。
【００２７】
左人検出部１０は、搬送部３の左側に乗る人が存在するか否かを検出し、右人検出部１１は、搬送部３の右側に乗る人が存在するか否かを検出する。特に限定されないが、各人検出部１０，１１は、本実施形態のように、左右方向Ｄ２に向けて投射される光電センサ（例えば、反射型）とし、欄干部４，５の下部に配置されている、という構成でもよい。なお、図２〜図４において、２点鎖線は、投射光の範囲を示している。
【００２８】
また、特に限定されないが、各人検出部１０，１１は、本実施形態のように、床プレート１ｃに乗っている人、即ち、搬送部３に乗る前の人を検出する、という構成でもよい。なお、各人検出部１０，１１は、例えば、搬送部３（ステップ３ｂ）に実際に乗っている人を検出する、という構成でもよい。
【００２９】
ところで、各人検出部１０，１１は、搬送部３が搬送する負荷を検出する負荷検出部１４，１５としても機能する。具体的には、左人検出部１０は、搬送部３の左側で搬送する負荷を検出する左負荷検出部１４として機能し、右人検出部１１は、搬送部３の右側で搬送する負荷を検出する右負荷検出部１５として機能する。
【００３０】
左高さ検出部１２は、搬送部３の左側に乗る人が所定の高さを有するか否かを検出し、右高さ検出部１３は、搬送部３の右側に乗る人が所定の高さを有するか否かを検出する。特に限定されないが、各高さ検出部１２，１３は、本実施形態のように、斜め後方に向けて投射される光電センサ（例えば、反射型）とし、欄干部４，５の下部に配置されている、という構成でもよい。
【００３１】
また、特に限定されないが、各高さ検出部１２，１３は、本実施形態のように、床プレート１ｃに乗っている人、即ち、搬送部３に乗る前の人の高さを検出する、という構成でもよい。なお、各高さ検出部１２，１３は、例えば、搬送部３（ステップ３ｂ）に実際に乗っている人の高さを検出する、という構成でもよい。
【００３２】
また、各検出部１０〜１５は、例えば、人感センサ又は画像センサとし、上方（例えば、床面から２ｍ以上上方の位置）に配置されている、という構成でもよい。また、各検出部１０〜１５は、例えば、接触センサ、圧力センサ又は重量センサとし、下方（例えば、床面又は床面よりも下方の位置）に配置されている、という構成でもよい。
【００３３】
そして、各検出部１０〜１５は、例えば、一つの検出部（例えば、画像センサ）で全ての検出部１０〜１５を兼用する、という構成でもよい。また、各検出部１０〜１５は、例えば、それぞれ全て異なる検出部１０〜１５で構成されてもよく、また、例えば、本実施形態のように、一部の検出部１０，１４（１１，１５）を兼用する、という構成でもよい。
【００３４】
また、図５に示すように、マンコンベヤ１は、搬送部３の搬送速度を検出する速度検出部１６を備えている。特に限定されないが、例えば、速度検出部１６は、回転部６ａの回転速度を検出するセンサ（例えば、近接センサ、光電センサ）としてもよく、また、例えば、回転部６ａの回転を検出するエンコーダとしてもよく、また、例えば、走行部３ａの回転速度又はステップ３ｂの走行速度を直接に検出するセンサとしてもよい。
【００３５】
また、マンコンベヤ１は、各種情報が入力される入力部１ｄと、各種情報が出力される出力部１ｅとを備えている。特に限定されないが、入力部１ｄは、例えば、スイッチ、タッチパネル、携帯装置（リモコン、携帯端末）とすることができる。また、特に限定されないが、出力部１ｅは、例えば、音声部（例えば、ブザー、スピーカ）、表示部（例えば、表示板、表示灯）、携帯装置（リモコン、携帯端末）とすることができる。
【００３６】
制御部７は、各種情報を取得する取得部７ａと、各種情報を記憶する記憶部７ｂと、取得部７ａ及び記憶部７ｂの情報に基づいて、各種情報を演算する演算部７ｃとを備えている。そして、制御部７は、搬送部３が搬送する負荷の状態を判定する負荷判定部７ｄと、搬送部３に乗る人の高さを判定する高さ判定部７ｅと、搬送部３が人を搬送する速度（搬送速度）を判定する速度判定部７ｆとを備えている。
【００３７】
また、制御部７は、搬送部３の搬送速度を制御するために、駆動部６を制御する駆動制御部７ｇと、送風装置８，９を制御する送風制御部７ｈと、出力部１ｅを制御する出力制御部７ｉとを備えている。なお、制御部７は、ＣＰＵ、メモリ等を有した所謂コンピュータである。そして、制御部７は、メモリに格納されたプログラムをＣＰＵで実行することによって、各部７ａ〜７ｉとしての機能を有するものである。
【００３８】
負荷判定部７ｄは、負荷検出部１４，１５（人検出部１０，１１）の検出に基づいて、負荷率を演算する。例えば、所定時間に対する、左負荷検出部１４（左人検出部１０）の検出累積時間に基づいて、搬送部３の左側の負荷率が演算され、また、例えば、所定時間に対する、右負荷検出部１５（右人検出部１１）の検出累積時間に基づいて、搬送部３の右側の負荷率が演算される。このように、搬送部３の左側と右側とで搬送される負荷率がそれぞれ個別に演算されている。
【００３９】
高さ判定部７ｅは、高さ検出部１２，１３の検出に基づいて、搬送部３に乗る人が所定の高さを有するか否か判定する。例えば、左高さ検出部１２が人の存在を検出した場合に、高さ判定部７ｅは、搬送部３の左側に乗る人が所定の高さを有すると判定し、また、例えば、右高さ検出部１３が人の存在を検出した場合に、高さ判定部７ｅは、搬送部３の右側に乗る人が所定の高さを有すると判定する。このように、搬送部３の左側と右側とに乗る人の高さがそれぞれ個別に判定されている。
【００４０】
速度判定部７ｆは、速度検出部１６の検出に基づいて、搬送部３が人を搬送する搬送速度を演算する。なお、速度判定部７ｆは、速度検出部１６の検出ではなく、駆動制御部７ｇが駆動部６へ指示する情報（例えば、搬送速度の設定値（目標値）の情報）に基づいて、搬送速度を判定してもよい。
【００４１】
なお、マンコンベヤ１は、人が下方向へ搬送されている場合でも、同様に人が検出され、且つ、同様に制御されるように、構成されている。具体的には、検出部１０〜１５は、図２〜図４を参照して、一方の乗降部１ａ側に備えられていることを説明したが、例えば、同様に、他方の乗降部１ｂ側にも備えられている。
【００４２】
本実施形態に係るマンコンベヤ１の構成については以上の通りであり、次に、本実施形態に係るマンコンベヤ１の送風制御について説明する。具体的には、制御部７は、送風装置８，９に対して、以下の第１〜第４制御を併用して行っている。また、特に限定されないが、以下では、例えば、屋外に設置されるマンコンベヤ１に対して、夏場に冷風を送風する場合の送風制御について説明する。
【００４３】
＜第１の制御＞
まず、搬送部３に乗る人の位置（左側、右側）に関わらず、左送風装置８及び右送風装置９の送風量が変化しない場合に、電力を浪費する可能性がある。そこで、送風制御部７ｈは、左人検出部１０の検出に基づいて、左送風装置８の送風量を制御し、右人検出部１１の検出に基づいて、右送風装置９の送風量を制御している。
【００４４】
例えば、左送風装置８の送風が停止しているときに、左人検出部１０が人を検出した場合に、左送風装置８の送風が開始される。そして、左人検出部１０が人を最後に検出してから設定時間が経過した場合に、左送風装置８の送風が停止される。
【００４５】
また、例えば、右送風装置９の送風が停止しているときに、右人検出部１１が人を検出した場合に、右送風装置９の送風が開始される。そして、右人検出部１１が人を最後に検出してから設定時間が経過した場合に、右送風装置９の送風が停止される。
【００４６】
このように、第１の制御によれば、搬送部３の人が乗っている側（左側、右側）に、送風装置８，９が送風するため、人に向けて確実に送風することができつつ、電力を浪費することを抑制することができる。即ち、左送風装置８と右送風装置９とを個別に制御することによって、送風装置８，９の送風量を適切にすることができる。なお、送風が停止する、という構成ではなく、例えば、送風量が小さくなる、という構成でもよい。
【００４７】
＜第２の制御＞
また、搬送部３に乗る人の高さに関わらず、送風装置８，９の上下方向Ｄ３の送風量が変化しない場合にも、電力を浪費する可能性がある。そこで、送風制御部７ｈは、高さ検出部１２，１３の検出による高さ判定部７ｅの判定に基づいて、送風装置８，９の上下方向Ｄ３の送風量を制御している。
【００４８】
例えば、左高さ検出部１２が人を検出した場合に、高さ判定部７ｅが、搬送部３の左側に乗る人が所定の高さを有すると判定するため、左送風装置８は、上送風部８ａ及び下送風部８ｂの両方から送風を開始する。そして、左高さ検出部１２が人を最後に検出してから設定時間が経過した場合に、左送風装置８は、上送風部８ａからの送風を停止し、下送風部８ｂからの送風のみを維持する。
【００４９】
また、例えば、右高さ検出部１３が人を検出した場合に、高さ判定部７ｅが、搬送部３の右側に乗る人が所定の高さを有すると判定するため、右送風装置９は、上送風部９ａ及び下送風部９ｂの両方から送風を開始する。そして、右高さ検出部１３が人を最後に検出してから設定時間が経過した場合に、右送風装置９は、上送風部９ａからの送風を停止し、下送風部９ｂからの送風のみを維持する。
【００５０】
このように、第２の制御によれば、搬送部３に乗る人の高さに応じて、送風装置８，９が送風するため、搬送部３に乗る人の高さ（例えば、大人、子供）が変化した場合でも、最も涼しさを感じる顔付近に送風することができる。しかも、搬送部３に背の高い人がいない場合には、上送風部８ａ，９ａからの送風が停止されるため、電力を浪費することを抑制することができる。
【００５１】
また、上下方向Ｄ３の送風量の制御について、左送風装置８と右送風装置９とを個別に制御しているため、送風装置８，９の送風量を効果的に適切にすることができる。なお、上送風部８ａ，９ａの送風が停止する、即ち、上下方向Ｄ３の送風範囲を変更するという構成ではなく、例えば、上送風部８ａ，９ａの送風量が小さくなる、という構成でもよい。
【００５２】
＜第３の制御＞
また、搬送部３で搬送される負荷に関わらず、送風装置８，９の送風量が変化しない場合に、送風量が不適切となる場合がある。例えば、負荷が大きい場合には、マンコンベヤ１の搬送部３が混雑しているため、体感温度が上昇し易い。そこで、送風制御部７ｈは、負荷検出部１４，１５の検出による負荷判定部７ｄの判定に基づいて、送風装置８，９の送風量を制御している。
【００５３】
例えば、左負荷検出部１４（左人検出部１０）の人の検出に基づいて、負荷判定部７ｄが搬送部３の左側の負荷状態を判定し、左送風装置８は、判定された負荷の状態に応じた量を送風する。具体的には、負荷判定部７ｄが判定する負荷が大きいほど、左送風装置８の送風量は、大きくなる。
【００５４】
また、例えば、右負荷検出部１５（右人検出部１１）の人の検出に基づいて、負荷判定部７ｄが搬送部３の右側の負荷状態を判定し、右送風装置９は、判定された負荷の状態に応じた量を送風する。具体的には、負荷判定部７ｄが判定する負荷が大きいほど、右送風装置９の送風量は、大きくなる。
【００５５】
このように、第３の制御によれば、搬送部３の負荷に応じて、送風装置８，９の送風量が変化するため、搬送部３に対する負荷が変化した場合でも、搬送部３に乗っている人の体感温度を適切にすることができる。したがって、送風装置８，９の送風量をさらに適切にすることができる。
【００５６】
＜第４の制御＞
また、搬送部３が人を搬送する搬送速度に関わらず、送風装置８，９の送風量が変化しない場合に、送風量が不適切となる場合がある。例えば、搬送速度が遅いときには、人が搬送されることによって自然に生じる風量が小さいため、体感温度が上昇し易い。そこで、送風制御部７ｈは、搬送部３の搬送速度に基づいて、送風装置８，９の送風量を制御している。
【００５７】
例えば、速度判定部７ｆが搬送部３の搬送速度を判定し、送風装置８，９は、判定された搬送速度に応じた量を送風する。具体的には、速度判定部７ｆが判定する搬送速度が遅いほど、送風装置８，９の送風量は、大きくなる。
【００５８】
このように、第４の制御によれば、搬送部３の搬送速度に応じて、送風装置８，９の送風量が変化するため、搬送部３の搬送速度が変化した場合でも、搬送部３に乗っている人の体感温度を適切にすることができる。したがって、送風装置８，９の送風量をさらに適切にすることができる。
【００５９】
以上より、本実施形態に係るマンコンベヤ１は、人を前方へ搬送する搬送部３と、前記搬送部３の左側に配置される左欄干部４と、前記搬送部３の右側に配置される右欄干部５と、前記搬送部３の左側に乗る人を検出する左人検出部１０と、前記搬送部３の右側に乗る人を検出する右人検出部１１と、前記左欄干部４及び前記右欄干部５を制御する制御部７と、を備え、前記左欄干部４は、前記搬送部３側に向けて送風する左送風装置８を備え、前記右欄干部５は、前記搬送部３側に向けて送風する右送風装置９を備え、前記制御部７は、前記左人検出部１０の検出に基づいて、前記左送風装置８の送風量を制御し、前記右人検出部１１の検出に基づいて、前記右送風装置９の送風量を制御する。
【００６０】
斯かる構成によれば、搬送部３の左側に乗る人が検出され、当該検出に基づいて、左送風装置８の送風量が制御される。そして、搬送部３の右側に乗る人が検出され、当該検出に基づいて、右送風装置９の送風量が制御される。これにより、送風装置８，９の送風量を適切にすることができる。
【００６１】
また、本実施形態に係るマンコンベヤ１は、前記搬送部３が搬送する負荷を検出する負荷検出部１４，１５をさらに備え、前記制御部７は、前記負荷検出部１４，１５の検出に基づいて、前記左送風装置８及び前記右送風装置９の送風量を制御する、という構成である。
【００６２】
斯かる構成によれば、搬送部３で搬送される負荷が検出され、当該検出に基づいて、左送風装置８及び右送風装置９の送風量が制御される。これにより、送風量が搬送部３の負荷に対応して変化するため、送風装置８，９の送風量をさらに適切にすることができる。
【００６３】
また、本実施形態に係るマンコンベヤ１においては、前記制御部７は、前記搬送部３の搬送速度に基づいて、前記左送風装置８及び前記右送風装置９の送風量を制御する、という構成でもよい。
【００６４】
斯かる構成によれば、搬送部３の搬送速度に基づいて、左送風装置８及び右送風装置９の送風量が制御される。これにより、送風量が搬送部３の搬送速度に対応して変化するため、送風量が送風装置８，９の送風量をさらに適切にすることができる。
【００６５】
また、本実施形態に係るマンコンベヤ１は、前記搬送部３に乗る人の高さを検出する高さ検出部１２，１３をさらに備え、前記左送風装置８及び前記右送風装置９は、上下方向Ｄ３の送風量を変更可能に構成され、前記制御部７は、前記高さ検出部１２，１３の検出に基づいて、前記左送風装置８及び前記右送風装置９の上下方向Ｄ３の送風量を制御する、という構成である。
【００６６】
斯かる構成によれば、搬送部３に乗る人の高さが検出され、当該検出に基づいて、左送風装置８及び右送風装置９の上下方向Ｄ３の送風量が制御される。これにより、搬送部３に乗る人の高さに対応して、上下方向Ｄ３の送風量が変化するため、送風装置８，９の送風量を適切にすることができる。
【００６７】
なお、マンコンベヤ１は、上記した実施形態の構成に限定されるものではなく、また、上記した作用効果に限定されるものではない。また、マンコンベヤ１は、本発明の要旨を逸脱しない範囲内において種々変更を加え得ることは勿論である。例えば、下記する各種の変更例に係る構成や方法等を任意に一つ又は複数選択して、上記した実施形態に係る構成や方法等に採用してもよいことは勿論である。
【００６８】
（１）マンコンベヤ１においては、例えば、送風装置８，９は、全長に亘って同じ送風量に変更可能である、という構成でもよく、また、図６に示すように、例えば、送風装置８，９は、搬送方向で区分けされた領域８ｃ〜８ｅごとに、送風量を変更可能である、という構成でもよい。図６に係るマンコンベヤ１の構成について、以下に説明する。
【００６９】
送風装置８，９（図６は、左送風装置８のみ図示している）は、下方側から上方側へ向けて順番に並ぶようにして、第１送風領域８ｃ、第２送風領域８ｄ、及び第３送風領域８ｅを備えている。なお、区分けされる領域は、特に限定されず、例えば、二つでもよく、四つ以上でもよい。
【００７０】
マンコンベヤ１は、第１送風領域８ｃの下端位置の人を検出する第１人検出部１ｆと、第２送風領域８ｄの下端位置（第１送風領域８ｃの上端位置）の人を検出する第２人検出部１ｇとを備えている。また、マンコンベヤ１は、第３送風領域８ｅの下端位置（第２送風領域８ｄの上端位置）の人を検出する第３人検出部１ｈと、第３送風領域８ｅの上端位置の人を検出する第４人検出部１ｉとを備えている。
【００７１】
そして、制御部７は、人検出部１ｆ〜１ｉの検出に基づいて、送風装置８，９の各送風領域８ｃ〜８ｅの送風量を個別に制御している。特に限定されないが、例えば、搬送部３が人を上方向へ搬送している場合には、以下のような制御が行われる。なお、搬送部３が人を下方向へ搬送している場合にも、同様の制御が行われる。
【００７２】
例えば、第１送風領域８ｃの送風が停止しているときに、第１人検出部１ｆが人を検出した場合に、第１送風領域８ｃの送風が開始される。そして、第１人検出部１ｆが人を最後に検出してから設定時間が経過した場合に、第１送風領域８ｃの送風が停止される。なお、送風が停止する、という構成ではなく、例えば、送風量が小さくなる、という構成でもよい。
【００７３】
同様に、第２送風領域８ｄの送風が停止しているときに、第２人検出部１ｇが人を検出した場合に、第２送風領域８ｄの送風が開始され、第３送風領域８ｅの送風が停止しているときに、第３人検出部１ｈが人を検出した場合に、第３送風領域８ｅの送風が開始される。そして、第２人検出部１ｇが人を最後に検出してから設定時間が経過した場合に、第２送風領域８ｄの送風が停止され、第３人検出部１ｈが人を最後に検出してから設定時間が経過した場合に、第３送風領域８ｅの送風が停止される。
【００７４】
（２）また、上記実施形態に係るマンコンベヤ１においては、第１の制御において、搬送部３の人が乗っている側（左側、右側）の送風装置８，９が送風する、という構成である。しかしながら、マンコンベヤ１は、斯かる構成に限られない。
【００７５】
例えば、第１の制御において、搬送部３の人が乗っている側（左側、右側）の送風装置８，９の送風が停止する（又は、送風量が小さくなる）、という構成でもよい。例えば、送風装置８，９の風が搬送部３に乗る人に直接当たることによって、人が嫌悪感を抱く場合には、風が人に直接当たることを抑制しつつ、搬送部３上を快適な温度で維持するために、当該制御が採用されてもよい。
【００７６】
具体的には、左送風装置８が送風しているときに、左人検出部１０が人を検出した場合に、左送風装置８の送風が停止される（又は、左送風装置８の送風量が小さくなる）。そして、左人検出部１０が人を最後に検出してから設定時間が経過した場合に、左送風装置８の送風が開始される（又は、左送風装置８の送風量が大きくなり戻る）。
【００７７】
（３）また、上記実施形態に係るマンコンベヤ１においては、第２の制御において、搬送部３に背の高い人がいる場合に、上送風部８ａ，９ａが送風する、即ち、搬送部３の上方の領域へ送風する、という構成である。しかしながら、マンコンベヤ１は、斯かる構成に限られない。
【００７８】
例えば、第２の制御において、搬送部３に背の高い人がいる場合に、上送風部８ａ，９ａの送風が停止する（又は、送風量が小さくなる）、という構成でもよい。例えば、送風装置８，９の風が搬送部３に乗る人の顔付近に直接当たることによって、人が嫌悪感を抱く場合には、風が人の顔付近に直接当たることを抑制しつつ、搬送部３上を快適な温度で維持するために、当該制御が採用されてもよい。
【００７９】
具体的には、左送風装置８が上送風部８ａ及び下送風部８ｂの両方から送風しているときに、左高さ検出部１２が人を検出した場合に、左送風装置８は、上送風部８ａからの送風を停止し（又は、送風量を小さくし）、下送風部８ｂからの送風のみを維持する。そして、左高さ検出部１２が人を最後に検出してから設定時間が経過した場合に、左送風装置８は、上送風部８ａからの送風を再開し（又は、送風量を大きくして戻し）、上送風部８ａ及び下送風部８ｂの両方から送風する。
【００８０】
（４）また、上記実施形態に係るマンコンベヤ１においては、第３の制御において、搬送部３で搬送する負荷が大きいほど、送風装置８，９の送風量は、大きくなる、という構成である。しかしながら、マンコンベヤ１は、斯かる構成に限られない。
【００８１】
例えば、第３の制御において、搬送部３で搬送する負荷が小さいほど、送風装置８，９の送風量は、大きくなる、という構成でもよい。例えば、外気が低く、送風装置８，９が温風を送風しているときに、負荷が小さい場合には、マンコンベヤ１の搬送部３が閑散となり、体感温度が下降し易いため、搬送部３に乗っている人の体感温度を適切にするために、当該制御が採用されてもよい。
【００８２】
（５）また、上記実施形態に係るマンコンベヤ１においては、第４の制御において、搬送部３の搬送速度が遅いほど、送風装置８，９の送風量は、大きくなる、という構成である。しかしながら、マンコンベヤ１は、斯かる構成に限られない。
【００８３】
例えば、第４の制御において、搬送部３の搬送速度が速いほど、送風装置８，９の送風量は、大きくなる、という構成でもよい。例えば、外気が低く、送風装置８，９が温風を送風しているときに、搬送部３の搬送速度が速い場合には、人が搬送されることによって自然に生じる風量が大きくなり、体感温度が下降し易いため、搬送部３に乗っている人の体感温度を適切にするために、当該制御が採用されてもよい。
【００８４】
（６）また、上記実施形態に係るマンコンベヤ１においては、搬送部３の左側に乗る人の高さと搬送部３の右側に乗る人の高さとを個別に検出するために、左高さ検出部１２及び右高さ検出部１３を備え、制御部７は、当該高さ検出部１２，１３の検出に基づいて、左送風装置８及び右送風装置９の上下方向Ｄ３の送風量を個別に制御する、という構成である。しかしながら、マンコンベヤ１は、斯かる構成に限られない。
【００８５】
（６−１）例えば、マンコンベヤ１は、搬送部３に乗る人の高さを乗る位置（左側、右側）を区別することなく検出する高さ検出部を備え、制御部７は、高さ検出部の検出に基づいて、左送風装置８及び右送風装置９の両方の上下方向Ｄ３の送風量を制御する、という構成でもよい。
【００８６】
（６−２）また、例えば、制御部７は、搬送部３に乗る人の高さに関わらず、搬送部３に乗る人の高さから独立して、送風装置８，９の上下方向Ｄ３の送風量を制御する、という構成でもよい。そして、例えば、マンコンベヤ１は、搬送部３に乗る人の高さを検出する高さ検出部１２，１３を備えていない、という構成でもよい。
【００８７】
（７）また、上記実施形態に係るマンコンベヤ１においては、送風装置８，９は、上送風部８ａ，９ａ及び下送風部８ｂ，９ｂを備えることによって、上下方向Ｄ３の送風量を変更可能に構成される、という構成である。しかしながら、マンコンベヤ１は、斯かる構成に限られない。
【００８８】
例えば、送風装置８，９は、風を案内するルーバを備えており、ルーバがスイングして送風向きが変更されることによって、上下方向Ｄ３の送風量を変更可能に構成される、という構成でもよい。また、例えば、送風装置８，９の上下方向Ｄ３の送風量は、変更不能である、という構成でもよい。
【００８９】
（８）また、上記実施形態に係るマンコンベヤ１は、搬送部３の左側で搬送する負荷と搬送部３の右側で搬送する負荷とを個別に検出するために、左負荷検出部１４及び右負荷検出部１５を備え、制御部７は、当該負荷検出部１４，１５の検出に基づいて、左送風装置８及び右送風装置９の送風量を個別に制御する、という構成である。しかしながら、マンコンベヤ１は、斯かる構成に限られない。
【００９０】
（８−１）例えば、マンコンベヤ１は、搬送部３で搬送する全体の負荷を検出する負荷検出部を備え、制御部７は、負荷検出部の検出に基づいて、左送風装置８及び右送風装置９の両方の送風量を制御する、という構成でもよい。斯かる構成においては、負荷検出部は、駆動源６ｂの電流値を検出する電流検出部と、回転部６ａの回転速度を検出する速度検出部１６とを備えている、という構成でもよい。
【００９１】
そして、負荷判定部７ｄは、電流検出部及び速度検出部１６の検出値に基づいて、負荷率を演算している。例えば、負荷判定部７ｄは、予め算出して記憶部７ｂに記憶されている最大負荷量のトルク値に対する、電流検出部及び速度検出部１６の検出値に基づいて演算されたトルク値の比に基づいて、負荷率を演算してもよい。
【００９２】
（８−２）また、例えば、制御部７は、搬送部３の負荷に関わらず、搬送部３の負荷から独立して、送風装置８，９の送風量を制御する、という構成でもよい。そして、例えば、マンコンベヤ１は、搬送部３で搬送する負荷を検出する負荷検出部１４，１５を備えていない、という構成でもよい。
【００９３】
（９）また、上記実施形態に係るマンコンベヤ１においては、制御部７は、搬送部３の搬送速度に基づいて、左送風装置８及び右送風装置９の送風量を制御する、という構成である。しかしながら、マンコンベヤ１は、斯かる構成に限られない。例えば、制御部７は、搬送部３の搬送速度に関わらず、搬送部３の搬送速度から独立して、左送風装置８及び右送風装置９の送風量を制御する、という構成でもよい。そして、マンコンベヤ１は、搬送部３の搬送速度を検出する速度検出部１６を備えていない、という構成でもよい。
【００９４】
（１０）また、マンコンベヤ１においては、制御部７は、例えば、人検出部１０，１１の検出に基づいて、搬送部３に乗る人の状態（例えば、歩行している、立ち止まっている）を判定する人状態判定部を備えている、という構成でもよい。そして、制御部７は、人検出部１０，１１の検出による人状態判定部の判定に基づいて、送風装置８，９の送風量を制御する、という構成でもよい。
【００９５】
斯かる構成においては、人検出部１０，１１は、例えば、搬送部３に乗っている人を検出するように配置され、人状態判定部は、例えば、人検出部１０，１１の検出時間（人の存在を検出した時間）が設定時間未満である場合に、歩行していると判定し、人検出部１０，１１の検出時間が設定時間以上である場合に、立ち止まっていると判定してもよい。
【００９６】
そして、例えば、左送風装置８の送風が停止しているときに、左人検出部１０が人を検出し且つ人状態判定部が歩行していると判定した場合に、左送風装置８の送風の停止が維持されてもよい。例えば、歩行している人に対して、送風装置８，９から送風してもあまり効果がない場合に、当該制御が採用されてもよい。
【００９７】
（１１）また、マンコンベヤ１は、例えば、気温を検出する温度検出部を備え、制御部７は、温度検出部の検出に基づいて、送風装置８，９の送風量を制御する、という構成でもよい。例えば、冷風を送風する場合に、温度検出部で検出された温度が高いほど、送風装置８，９の送風量は、大きい、という構成でもよい。
【００９８】
（１２）また、マンコンベヤ１においては、例えば、送風装置８，９は、送風する気体の温度を変更する、という構成でもよい。特に限定されないが、例えば、冷風を送風する場合に、送風量を大きくすると共に、気体の温度を低くしてもよい。また、特に限定されないが、例えば、温風を送風する場合に、送風量を大きくすると共に、気体の温度を高くしてもよい。
【符号の説明】
【００９９】
１…マンコンベヤ、１ａ…乗降部、１ｂ…乗降部、１ｃ…床プレート、１ｄ…入力部、１ｅ…出力部、１ｆ…第１人検出部、１ｇ…第２人検出部、１ｈ…第３人検出部、１ｉ…第４人検出部、２…構造体、２ａ…機械室、３…搬送部、３ａ…走行部、３ｂ…ステップ、４…左欄干部、４ａ…手摺ベルト、４ｂ…欄干本体、５…右欄干部、５ａ…手摺ベルト、５ｂ…欄干本体、６…駆動部、６ａ…回転部、６ｂ…駆動源、７…制御部、７ａ…取得部、７ｂ…記憶部、７ｃ…演算部、７ｄ…負荷判定部、７ｅ…高さ判定部、７ｆ…速度判定部、７ｇ…駆動制御部、７ｈ…送風制御部、７ｉ…出力制御部、８…左送風装置、８ａ…上送風部、８ｂ…下送風部、８ｃ…第１送風領域、８ｄ…第２送風領域、８ｅ…第３送風領域、９…右送風装置、９ａ…上送風部、９ｂ…下送風部、１０…左人検出部、１１…右人検出部、１２…左高さ検出部、１３…右高さ検出部、１４…左負荷検出部、１５…右負荷検出部、１６…速度検出部、Ｄ１…前後方向、Ｄ２…左右方向、Ｄ３…上下方向
【要約】      （修正有）【課題】送風装置の送風量を適切にすることができるマンコンベヤを提供する。【解決手段】マンコンベヤは、人を前方へ搬送する搬送部３と、搬送部３の左側に配置される左欄干部４と、搬送部３の右側に配置される右欄干部５と、搬送部３の左側に乗る人を検出する左人検出部１０と、搬送部の右側に乗る人を検出する右人検出部１１と、左欄干部４及び右欄干部５を制御する制御部と、を備え、左欄干部４は、搬送部側に向けて送風する左送風装置８を備え、右欄干部５は、搬送部側に向けて送風する右送風装置９を備え、制御部は、左人検出部１０の検出に基づいて、左送風装置８の送風量を制御し、右人検出部１１の検出に基づいて、右送風装置９の送風量を制御する。【選択図】図２【図１】
0006889424.tif 000002
【図２】
0006889424.tif 000003
【図３】
0006889424.tif 000004
【図４】
0006889424.tif 000005
【図５】
0006889424.tif 000006
【図６】
0006889424.tif 000007